(57)【要約】【課題】  踏み板とささら桁との組み立て精度を向上させるとともに、踏み板とささら桁とを強固に固定することができる階段ユニットを提供する。【解決手段】  下面に取り付け部材２２が設けられた複数の踏み板２０と、踏み板２０を支持する複数の受け部１２を備えるささら桁１１とを備える階段ユニットである。受け部１２には上面に前後方向に伸びる溝１３が設けられ、取り付け部材２２は溝１３と係合している。溝１３に取り付け部材２２を係合させて踏み板２０の上下及び左右位置を決定でき、また踏み板２０をささら桁１１に当接させることで、前後位置を決定することができ、階段の組み立てを精度よく行うことができる。また溝１３と取り付け部材２２とが係合するので、接着面積を増やし、ささら桁１１と踏み板２０とをより強固に接着することができる。【選択図】      図２
2005030082.tif 000002
【特許請求の範囲】
【請求項１】
下面に取り付け部材が設けられた複数の踏み板と、前記踏み板を支持する複数の受け部を備えるささら桁とを備え、前記受け部には上面に前後方向に伸びる溝が設けられ、前記取り付け部材は前記溝と係合していることを特徴とする階段ユニット。
【請求項２】
前記踏み板下面前縁部に、前記ささら桁の上側の傾斜面に当接する当接面、及び前記ささら桁の側面と当接する鉛直面からなる切欠きを設けることを特徴とする請求項１に記載の階段ユニット。
【請求項３】
前記ささら桁と前記受け部とは一体に形成されていることを特徴とする請求項１または２に記載の階段ユニット。
【請求項４】
前記ささら桁及び前記踏み板は合板または集成材からなり、表面を木目化粧材で被覆されていることを特徴とする請求項１〜３のいずれか一項に記載の階段ユニット。
【請求項５】
前記複数の踏み板の間にそれぞれ設けられる蹴込み板をさらに備えることを特徴とする請求項１〜４のいずれか一項に記載の階段ユニット。
【発明の詳細な説明】
【技術分野】
【０００１】
本発明は、ささら桁で踏み板を支持する階段を構成する階段ユニットに関する。
【背景技術】
【０００２】
住宅等の建物内に設けられる木製の階段としては、桁で踏み板を支持する構造のものが一般的であり、踏み板の側部を側桁で支持する側桁階段と、踏み板の下面を力桁で支持する力桁階段とがある。
【０００３】
力桁階段には、一般に、力桁に取り付けた受け材で踏み板を支持するものがある。また、力桁をのこぎり歯のように加工した、ささら桁で支持するものもある（例えば、特許文献１参照）。ささら桁は通常、図７に示すように、棒状の部材３１に切欠き３２を設けたり、受け材３３を取り付けたりして作成する。
【０００４】
力桁は踏み板を下面で支持するので、踏み板の木目を美しく見せることができる。力桁には、踏み板の両端部を支持するものもあれば、中央部分を支持するものもある。
【特許文献１】特開平１１−３０３２１７号公報（第７頁、第４図、第６図）
【発明の開示】
【発明が解決しようとする課題】
【０００５】
しかし、棒状の部材に受け材を取り付けてささら桁を作成するのは、受け材を正確に位置決めして取り付ける必要があり、手間であった。
【０００６】
また、力桁階段では、踏み板の下面を支持するため、踏み板をその横方向に位置決めして取り付ける必要があり、手間であった。
【０００７】
また、力桁のみで踏み板を支持するので、強固に踏み板を力桁に固定する必要があった。特に踏み板を中央部分のみで支持する形状の力桁階段では、例えば踏み板の右側に乗ったときに、踏み板と受け材またはささら桁との接合部の左側に引張力が働くため、踏み板の両端部を支持する場合よりも、さらに強固に固定する必要があった。
【０００８】
本発明の課題は、踏み板とささら桁との組み立て精度を向上させるとともに、踏み板とささら桁とを強固に固定することができる階段ユニットを提供することである。
【課題を解決するための手段】
【０００９】
以上の課題を解決するため、本発明の請求項１に記載の発明は、階段ユニットであって、例えば図２に示すように、下面に取り付け部材２２が設けられた複数の踏み板２０と、前記踏み板２０を支持する複数の受け部１２を備えるささら桁１１とを備え、前記受け部１２には上面に前後方向に伸びる溝１３が設けられ、前記取り付け部材２２は前記溝１３と係合していることを特徴とする。
【００１０】
請求項１に記載の発明によれば、ささら桁１１の受け部１２に設けられた溝１３に、踏み板２０の下面の取り付け部材２２が係合するので、溝１３に取り付け部材２２を係合させて踏み板２０の上下及び左右位置を決定することができ、また踏み板２０をささら桁１１に当接させることで、前後位置を決定することができ、階段の組み立てを精度よく行うことができる。また溝１３と取り付け部材２２とが係合するので、接着面積を増やし、ささら桁１１と踏み板２０とをより強固に接着することができる。
【００１１】
請求項２に記載の発明は、請求項１に記載の階段ユニットであって、前記踏み板２０下面前縁部に、前記ささら桁１１の上側の傾斜面１１ａに当接する当接面（斜面２１ａ）、及び前記ささら桁１１の左右側面（側面１１ｂ、１１ｂ）と当接する鉛直面２１ｂ、２１ｂからなる切欠き２１を設けることを特徴とする。
【００１２】
請求項２に記載の発明によれば、踏み板２０下面の、ささら桁１１側の中央部に、ささら桁１１の上側の傾斜面１１ａに当接する当接面（斜面２１ａ）、及びささら桁１１の左右側面（側面１１ｂ、１１ｂ）と当接する鉛直面２１ｂ、２１ｂからなる切欠き２１を設けたので、踏み板２０をささら桁１１に３面で支持させることができ、安定させることができる。また切欠き２１とささら桁１１との接着面積をさらに増やし、ささら桁１１と踏み板２０とをさらに強固に接着することができる。
【００１３】
請求項３に記載の発明は、請求項１または２に記載の階段ユニットであって、前記ささら桁１１と前記受け部１２とは一体に形成されることを特徴とする。
【００１４】
ここでささら桁１１と受け部１２とを一体に製造する方法としては、例えばＮＣ（Numerical Control）制御されたフライスを用いる方法がある。
【００１５】
請求項３に記載の発明によれば、ささら桁１１の受け部１２及びささら桁１１は一体に成形されるので、受け部１２を正確に位置決めして取り付ける必要がない。
【００１６】
請求項４に記載の発明は、請求項１〜３のいずれか一項に記載の階段ユニットであって、前記ささら桁１１及び前記踏み板２０は合板または集成材からなり、表面を木目化粧材１４で被覆されていることを特徴とする。
【００１７】
請求項４に記載の発明によれば、ささら桁１１及び踏み板２０は合板または集成材からなるので、階段ユニットのコストを安価にすることができる。また表面を木目化粧材１４で被覆することにより、合板または集成材の積層模様を隠し、単一材と同様の美感を与えることができる。
【００１８】
請求項５に記載の発明は、請求項１〜４のいずれか一項に記載の階段ユニットであって、前記複数の踏み板２０の間にそれぞれ設けられる蹴込み板（図示せず）をさらに備えることを特徴とする。
【００１９】
請求項５に記載の発明によれば、複数の踏み板２０の間にそれぞれ設けられる蹴込み板をさらに備えるので、踏み板２０の間から物を落とすことを避けることができる。
【発明の効果】
【００２０】
請求項１に記載の発明によれば、ささら桁の受け部に設けられた溝に、踏み板の下面の取り付け部材が係合するので、溝に取り付け部材を係合させて踏み板の上下及び左右位置を決定することができ、また、踏み板をささら桁に当接させることで、前後位置を決定することができ、階段の組み立てを精度よく行うことができる。また溝と取り付け部材とが係合するので、接着面積を増やし、ささら桁と踏み板とをより強固に接着することができる。
【００２１】
請求項２に記載の発明によれば、請求項１に記載の発明と同様の効果が得られるとともに、踏み板下面の、ささら桁側の中央部に、ささら桁の上側の傾斜面に当接する当接面、及びささら桁の左右側面と当接する鉛直面からなる切欠きを設けたので、踏み板２０をささら桁１１に３面で支持させることができ、安定させることができる。また切欠きとささら桁とを嵌合させて接着面積をさらに増やし、ささら桁と踏み板とをさらに強固に接着することができる。
【００２２】
請求項３に記載の発明によれば、請求項１または２に記載の発明と同様の効果が得られるとともに、ささら桁の受け部及びささら桁は一体に成形されるので、受け部を正確に位置決めして取り付ける必要がない。
【００２３】
請求項４に記載の発明によれば、請求項１〜３のいずれか一項に記載の発明と同様の効果が得られるとともに、ささら桁及び踏み板は合板または集成材からなるので、階段ユニットのコストを安価にすることができる。また表面を木目化粧材で被覆することにより、合板または集成材の積層模様を隠し、単一材と同様の美感を与えることができる。
【００２４】
請求項５に記載の発明によれば、請求項１〜４のいずれか一項に記載の発明と同様の効果が得られるとともに、複数の踏み板の間にそれぞれ設けられる蹴込み板をさらに備えるので、踏み板の間から物を落とすことを避けることができる。
【発明を実施するための最良の形態】
【００２５】
以下、図を参照して本発明の実施の形態を詳細に説明する。本発明の階段ユニットは、図１に示すように、ささら桁１１と、複数の踏み板２０とからなる。
【００２６】
ささら桁１１は、建物躯体に斜めに配置され、その傾斜により階段の傾斜を決定する。ささら桁１１の上側の傾斜面１１ａには、受け部１２が設けられている。
【００２７】
受け部１２は、図２（ａ）に示すように、傾斜面１１ａに突出しており、その上面はささら桁１１を建物躯体に取り付けた際に水平になるように形成されている。また、受け部１２の上面には、前後方向に長い、ほぼ直方体形状の溝１３が設けられている。溝１３の位置は上面の左右いずれかの端に設けてもよいし、また図３（ａ）に示すように上面の中央に設けてもよい。
【００２８】
受け部１２はＮＣ（Numerical Control）制御されたフライスなどを利用して、ささら桁１１と一体に形成される。なお、合板でささら桁１１を形成した場合には、形成後、表面を耐磨耗性の木目化粧材で被覆してもよい。
【００２９】
木目化粧材による被覆は、例えば図４に示すように、形成したささら桁１１を受け部１２を上にして載置し、受け部１２に相当する部分に穴１５を開けた木目化粧材１４を上から被せて貼り付けることで行うことができる。
【００３０】
踏み板２０は、図２（ｂ）に示すように、下面の、ささら桁１１側の中央部に、斜面２１ａ、及び鉛直面２１ｂ、２１ｂからなる切欠き２１が設けられている。踏み板２０がささら桁１１に取り付けられた状態では、切欠き２１はささら桁１１に係合している。
【００３１】
また斜面２１ａは前後方向に傾斜しており、その傾斜は建物躯体に取り付けられるささら桁１１の傾斜面１１ａの傾斜に等しい。斜面２１ａは切欠き２１がささら桁１１に係合した状態で、傾斜面１１ａに当接する。
【００３２】
鉛直面２１ｂ、２１ｂの幅は、ささら桁１１の幅に等しく、切欠き２１がささら桁１１に係合した状態で、側面１１ｂ、１１ｂに当接する。
【００３３】
また、踏み板２０の下面の切欠き２１よりも後方には、前後方向に長い、ほぼ直方体形状の取り付け部材２２が設けられている。取り付け部材２２の幅は、ささら桁１１の受け部１２の溝１３の幅とほぼ等しく、取り付け部材２２は溝１３に係合する。前後方向に長い溝１３に前後方向に長い取り付け部材２２を係合させることで、踏み板２０のささら桁１１に対する横方向の位置及び角度を決めることができる。
【００３４】
取り付け部材２２の長さや高さは、溝１３と同程度であることが好ましい。取り付け部材２２の長さや高さが溝１３と同程度であると、踏み板２０をささら桁１１に取り付けた後に残る隙間が少なく、接触面積が大きくなる。このため、踏み板２０とささら桁１１との固定に接着剤を使用する場合には、接着面積を大きく取ることができる。
【００３５】
取り付け部材２２の位置は、受け部１２の溝１３の位置に合わせて設けられており、図２（ｂ）では切欠き２１の左右いずれかの端の後方に設けられているが、例えば図３（ａ）のように受け部２１の上面の中央に溝１３が設けられている場合には、図３（ｂ）のように切欠き２１の後方の相当する位置に設ければよい。
【００３６】
踏み板２０もまた、ＮＣ制御されたフライス等を利用して、一体に成形することができる。なお、取り付け部材２２は一体成形してもよいし、木ビス等で踏み板２０に取り付けてもよい。構造芯材として合板を用いて成形した場合には、切欠き２１と取り付け部材２２とを除き、表面を耐磨耗性の木目化粧材で被覆してもよい。
【００３７】
なお踏み板２０は、図２（ｂ）及び図３（ｂ）では直方体形状に記載されているが、平板状であれば、円形や楕円形など、任意の形状とすることができる。
【００３８】
次に、本発明の階段ユニットの組み立て方について説明する。まずささら桁１１を建物躯体に取り付ける。ささら桁１１の上端は、上階あるいは上階と下階の間の踊場の受け梁２に固定する。受け梁２への固定方法は任意であり、例えば図５に示すように、受け梁２とささら桁１１上端とを嵌合する形状に成形し、両者を嵌合させて固定してもよいし、あるいはボルト等で固定してもよい。
【００３９】
ささら桁１１の下端は、踊り場あるいは下階の床３に固定する。床３への固定方法は任意であるが、例えば図６に示すように、床３に木製の角ダボ５を木ビス６等で固定するとともに、ささら桁１１下端に角ダボ５と同形状の切欠き２１を設け、嵌合させて固定してもよい。また嵌合させた後に、木ビス７等でささら桁１１を角ダボ５に固定してもよい。
【００４０】
ささら桁１１を建物躯体に取り付けたら、踏み板２０をささら桁１１に順次取り付ける。
【００４１】
まずささら桁１１の受け部１２の溝１３に、取り付け部材２２を係合させる。すると踏み板２０のささら桁１１に対する横方向の位置及び角度が決まるとともに、踏み板２０の下面と受け部１２の上面とが当接して上下位置が決まるので、前後方向にのみ移動自在となる。次に、踏み板２０の斜面２１ａをささら桁１１の傾斜面１１ａと当接させると、図２（ｃ）または図３（ｃ）に示すように、踏み板２０のささら桁１１に対する前後位置が決まる。
【００４２】
踏み板２０の位置が決まったら、ささら桁１１と踏み板２０とをビス等で固定する。なお、固定をする際に、接着剤を併用してもよい。最後に受け部１２及び取り付け部材２２を木目化粧材で被覆する。残りの踏み板２０についても同様にしてささら桁１１に固定する。
【００４３】
全ての踏み板２０をささら桁１１に取り付けたら、必要に応じて手摺４を取り付ける。以上のようにして、階段ユニットが完成する。本発明の階段ユニットによれば、ささら桁１１の受け部１２の溝１３に、踏み板２０の下面の取り付け部材２２を係合させて踏み板２０の上下及び左右位置を決定するとともに、踏み板２０を前進させてささら桁１１に当接させ、前後位置を決定することができるので、階段の組み立てを精度よく行うことができる。また溝１３と取り付け部材２２とが係合するので、接着面積を増やし、ささら桁１１と踏み板２０とをより強固に接着することができる。
【００４４】
また、踏み板２０をささら桁１１に３面で支持させることができ、安定させることができる。また切欠き２１とささら桁１１とを係合させて接着面積をさらに増やし、ささら桁１１と踏み板２０とをさらに強固に接着することができる。
【００４５】
なお、必要であれば、各踏み板２０の間に蹴込み板を取り付けてもよい。蹴込み板を設けることで、踏み板２０の間から物を落とすことを避けることができる。
【００４６】
また、図１〜３ではささら桁１１が２本描かれているが、ささら桁１１は１本でもよいし、複数本設けてもよい。また踏み板２０の取り付け部材２２や切欠き２１を左右両端に設け、２本のささら桁１１で踏み板２０の左右両端を支持するようにしてもよい。その他、具体的な細部構造等についても適宜に変更可能であることは勿論である。
【図面の簡単な説明】
【００４７】
【図１】本発明の階段ユニットの一例を示すもので、その斜視図である。
【図２】同、階段ユニットのささら桁及び踏み板の組み合わせ例を示す図であり、（ａ）はささら桁の要部を示す斜視図であり、（ｂ）は踏み板を示す斜視図であり、（ｃ）はささら桁と踏み板との係合状態を示す斜視図である。
【図３】同、階段ユニットのささら桁及び踏み板の組み合わせ例を示す図であり、（ａ）はささら桁の要部を示す斜視図であり、（ｂ）は踏み板を示す斜視図であり、（ｃ）はささら桁と踏み板との係合状態を示す斜視図である。
【図４】同、ささら桁を木目化粧材で被覆する方法を示す斜視図である。
【図５】同、ささら桁の建物躯体への取り付け構造を示す側面図である。
【図６】図５におけるＡ円部の拡大図である。
【図７】従来のささら桁の作成方法を示す斜視図である。
【符号の説明】
【００４８】
１１   ささら桁
１１ａ 傾斜面
１１ｂ 側面
１２   受け部
１３   溝
１４   木目化粧材
２０   踏み板
２１   切欠き
２１ａ 斜面
２１ｂ 鉛直面
２２   取り付け部材
【図１】
2005030082.tif 000003
【図２】
2005030082.tif 000004
【図３】
2005030082.tif 000005
【図４】
2005030082.tif 000006
【図５】
2005030082.tif 000007
【図６】
2005030082.tif 000008
【図７】
2005030082.tif 000009